(57)【特許請求の範囲】
【請求項１】
搬送車両を点検棟の入り口から進入させた状態で点検する車両点検棟における設備であって、
前記点検棟の側壁側に設置されて、搬送車両の側面に対して出退自在であるとともに、搬送車両の側面に対して突出した動作位置で当該側面に沿って延在する側面作業台と、
前記側面作業台を前記側壁側の端辺において前記側壁側に対して当該側壁に沿った水平軸のまわりに回動自在に支持する前記側面作業台用の支持手段と、
動作位置にある前記側面作業台の下方に配置されるとともに前記側壁側に対して当該側壁に沿った垂直軸のまわりに回動自在に支持される梁と、
前記点検棟の側壁側に設置されて当該側壁に沿った垂直軸のまわりに回動自在であるとともに、前記点検棟の側壁から突出した動作位置で前記側面作業台の端部に装架される梯子と、
前記点検棟の側壁側に設置されて、搬送車両の端面に対して出退自在であるとともに、搬送車両の端面に対して突出した動作位置で当該端面に沿って延在する端面作業台と、
前記端面作業台を根元側の所定位置において前記側壁側に対して当該側壁に沿った水平軸のまわりに回動自在に支持する前記端面作業台用の支持手段と、
前記端面作業台の先端側に配置されて動作位置にある前記端面作業台を下面から支持する脚と
を備えることを特徴とする車両点検棟設備。
【請求項２】
前記側面作業台の自由端に一端で連結されるワイヤーと、当該ワイヤーの他端が連結されるウインチとをさらに備えることを特徴とする請求項１記載の車両点検棟設備。
【請求項３】
前記端面作業台の根元側または先端側に一端で連結されるワイヤーと、当該ワイヤーの他端が連結されるウインチとをさらに備えることを特徴とする請求項１記載の車両点検棟設備。
【発明の詳細な説明】
【０００１】
【発明の属する技術分野】
本発明は、車両点検棟設備に関するもので、特に、化学プラントで取り扱われる原料、製品等の各種物質を搬送するためのタンク車等の点検に適した車両点検棟設備に関するものである。
【０００２】
【従来の技術】
タンクコンテナーカーやタンクローリー等のタンク搭載車両（以下、単にタンク車という）におけるタンク表面の洗浄、点検、ＩＳＯ基準に基づく各種ラベルの張替え等の作業は、車両点検棟で行われ、高所の作業は梯子を使用し、かかる梯子をタンクに沿って移動させながら点検等の一連の作業を行っている。
【０００３】
【発明が解決しようとする課題】
しかしながら、タンクの表面は滑らかで滑り易く、また、タンクの側面が円弧状を成していることから、梯子の安定性が良くない。よって、作業の安全を確保するためには、複数人で作業を行うことが望ましく、この場合、点検作業の効率が低下する。
【０００４】
また、作業に際して梯子をタンクに沿って徐々に移動させなければならないため、作業の完了に相当の時間を要する。特に、何台ものタンク車に対して原料等を一度に積み込む重複作業の場合、タンクの点検を終えてタンクに製品を充填するまでの作業時間が膨大となって、効率的な出荷が困難となる。
【０００５】
本発明は、上記事情に鑑みてなされたもので、その目的は、安全かつ短時間で点検等の作業が行える車両点検棟設備を提供することにある。
【０００６】
【課題を解決するための手段】
上記課題を解決するため、本発明に係る第１の車両点検棟設備は、搬送車両を点検棟の入り口から進入させた状態で点検する車両点検棟における設備であって、前記点検棟の側壁側に設置されて、搬送車両の側面に対して出退自在であるとともに、搬送車両の側面に対して突出した動作位置で当該側面に沿って延在する側面作業台を備える。
【０００７】
上記車両点検棟設備では、車両点検棟に搬送車両を収容する際に、車両進入等の邪魔にならないように、側面作業台を退避させておき、搬送車両の入庫を完了した段階で、側面作業台を作業位置に進出させて動作状態とする。その際、側面作業台は搬送車両の側面に沿って配置されるので、搬送車両の側面全体にわたって連続的に点検等の作業が行える。
【０００８】
上記車両点検棟設備の具体的な態様では、前記側面作業台を前記側壁側の端辺において前記側壁側に対して当該側壁に沿った水平軸のまわりに回動自在に支持する支持手段と、動作位置にある前記側面作業台の直下に配置されるとともに前記側壁側に対して当該側壁に沿った垂直軸のまわりに回動自在に支持される梁とをさらに備える。ここで、側面作業台を使用するときは、側壁に添って配置されて後退した状態の側面作業台を回動させて水平方向に突出させるが、この際、側壁に添って配置された梁を棟内方向に回動させて側壁に対して略垂直に位置させて、かかる状態の梁上に側面作業台を載置する。これにより、側面作業台を側壁に対して略水平に安定した状態で支持することができる。
【０００９】
また、上記車両点検棟設備の別の具体的な態様では、前記点検棟の側壁側に設置されて当該側壁に沿った垂直軸のまわりに回動自在であるとともに、前記点検棟の側壁から突出した動作位置で前記側面作業台の端部に装架される梯子をさらに備える。この場合、梯子を動作位置とすることで、作業者は、梯子を利用して側面作業台上に簡易に移動することができる。また、梯子を使用しない場合には、梯子を側壁に添って配置して車両進入等の邪魔にならないようにすることができる。
【００１０】
また、上記車両点検棟設備の別の具体的な態様では、前記側面作業台を前記側壁側の端辺において前記側壁側に対して当該側壁に沿った水平軸のまわりに回動自在に支持する支持手段と、前記側面作業台の自由端に一端で連結されるワイヤーと、当該ワイヤーの他端が連結されるウインチとをさらに備える。この場合、ウインチを利用した側面作業台の回動すなわち出退動作が可能になり、側面作業台の出退動作の作業性を高めることができる。なお、前記側面作業台の自由端とウインチとの間に、側面作業台よりも高い位置に配置される滑車を介在させた場合、床等の作業し易い箇所に設置したウインチを利用して側面作業台を容易に回動させることができる。
【００１１】
また、本発明に係る第２の車両点検棟設備は、搬送車両を点検棟の入り口から進入させた状態で点検する車両点検棟における設備であって、前記点検棟の側壁側に設置されて、搬送車両の端面に対して出退自在であるとともに、搬送車両の端面に対して突出した動作位置で当該端面に沿って延在する端面作業台を備える。
【００１２】
上記車両点検棟設備では、車両点検棟に搬送車両を収容する際に、車両進入の邪魔にならないように、端面作業台を退避させておき、搬送車両の入庫を完了した段階で、端面作業台を作業位置に進出させて動作位置とする。その際、端面作業台は搬送車両の端面に沿って配置されるので、搬送車両の端面全体にわたって連続的に点検等の作業が行える。
【００１３】
また、上記車両点検棟設備の具体的な態様では、前記端面作業台を根元側の所定位置において前記側壁側に対して当該側壁に沿った水平軸のまわりに回動自在に支持する支持手段と、前記端面作業台の先端側に配置されて動作位置にある前記端面作業台を下面から支持する脚とをさらに備える。この場合、端面作業台を使用する際に、側壁に添って配置されて後退した状態の端面作業台を棟内方へ回動させ、脚を点検棟の床、搬送車両のシャーシー等に支持させることにより、端面作業台を略水平に支持することができる。
【００１４】
また、上記車両点検棟設備の別の具体的な態様では、前記端面作業台を根元側の所定位置において前記側壁側に対して当該側壁に沿った水平軸のまわりに回動自在に支持する支持手段と、前記端面作業台の根元側または先端側に一端で連結されるワイヤーと、当該ワイヤーの他端が連結されるウインチとをさらに備える。この場合、ウインチを利用した端面作業台の回動すなわち出退動作が可能になり、端面作業台の出退動作の作業性を高めることができる。
【００１５】
【発明の実施の形態】
以下に、本発明に係る車両点検棟設備を図面に示した実施形態に基づいて説明する。
【００１６】
図１乃至図６は、本発明に係る車両点検棟設備を示したもので、図１は車両点検棟の正面図、図２はその内部平面図、図３および図４は側面作業台を示した斜視図、図５および図６は端面作業台を示した斜視図である。
【００１７】
図１および図２に示すように、この車両点検棟１０では、入り口１１から観て右側壁１０ａの中間部に固定作業台１２が設置され、左側壁１０ｂの中間部に折り畳み式の側面作業台１４が設置されている。また、この車両点検棟１０では、左側壁１０ｂの入り口１１側にアーム式の端面作業台２４が設置されている。ここで、側面作業台１４は、左側壁１０ｂから張り出した動作位置（図１参照）と、壁面側に畳まれて収納される退避位置（図４参照）との間で出退可能になっている。また、端面作業台２４も、左側壁１０ｂから延びる動作位置（図１参照）と、壁面側に畳まれて収納される退避位置（図６参照）との間で出退可能になっている。なお、側面作業台１４を根元側で支持する支持基材（不図示）や、端面作業台２４を支持する架台２５は、車両点検棟１０の側壁１０ｂ等に対して、例えば溶接やアンカーボルトによって固定されている。
【００１８】
この車両点検棟１０に収納される搬送車両は、この場合、ＩＳＯコンテナカー等のタンク車ＴＶであり、タンクＴＡと、これを支持するメインシャーシーである移動台ＭＳと、タンクＴＡを周囲から保持するフレームＦＬとを有する。このうち、移動台ＭＳの一端にはタイヤＭＳａが設けてあり、移動台ＭＳの他端には支持脚部材ＭＳｂが設けてあり、移動台ＭＳの支持脚部材ＭＳｂ側を持ち上げることによって、タンク車ＴＶを牽引して車両点検棟１０の内外に移動させることができるようになっている。
【００１９】
車両点検棟１０の右側壁１０ａ側に設けた固定作業台１２は、タンク車ＴＶを入り口１１から入庫させた状態で、タンクＴＡの一方側面ＴＡａに沿って配設されている。この固定作業台１２の上面は、タンクＴＡの上面部の点検のためタンクＴＡの上端とほぼ等しい高さ位置になっている。そして、この固定作業台１２の入り口１１側端には、固定作業台１２に上り下りするための固定階段１３が設置されている。
【００２０】
車両点検棟１０の左側壁１０ｂ側に設けた側面作業台１４は、タンクＴＡの他方側面ＴＡｂに沿い、タンクＴＡのほぼ全長に渡って設置されている。この側面作業台１４は、図３および図４に示すように、水平方向に延びる支持手段であるヒンジ１５によって、左側壁１０ｂに対して下方へ回動自在に支持されている。側面作業台１４の自由端には、ワイヤー２０の一端が係止され、このワイヤー２０は、側壁１０ｂの上方に設置した滑車２１を介して、その他端がウインチ２２に連結されている。また、左側壁１０ｂには、３角形状の片持ち梁１６がヒンジ１７によって水平方向に回動自在に支持されている。また、側面作業台１４の入り口１１側端部には、梯子１８がヒンジ１９によって垂直軸のまわりに回動自在に支持されている。
【００２１】
このように構成された側面作業台１４は、先ず、ウインチ２２のモータ２３を動作させ、或いはハンドル１２３を回転することによって、ヒンジ１５の水平軸を中心にして引き上げられる。次いで、４つの片持ち梁１６をヒンジ１７の垂直軸を中心にして引き出すとともに、ウインチ２２を利用して側面作業台１４をわずかに下げる。これにより、側面作業台１４の裏面に設けた係止部材（不図示）に各片持ち梁１６の上端がはまり、これら片持ち梁１６によって側面作業台１４が水平な動作位置に保持される。次いで、梯子１８をヒンジ１９の垂直軸を中心にして回動させ、左側壁１０ｂから垂直に突起する動作位置とすることにより、梯子１８を側面作業台１４の一端に装架する。なお、側面作業台１４の他端には、安全柵１４ｂを着脱自在に取り付けるための支持部が形成されており、側面作業台１４が動作位置に保持された際にこれに安全柵１４ｂを取り付けることにより、作業者の安全を確保することができる。
【００２２】
このようにしてセットされた側面作業台１４は、タンクＴＡの側面中間よりもやや高い位置に配置される。作業者は、梯子１８から側面作業台１４上に登り、この側面作業台１４上でタンクＴＡの側面ＴＡｂの清掃、ラベル交換等の作業を行う。作業終了後は、梯子１８を元の退避位置に復帰させる。次に、ウインチ２２を巻き上げ作動させて作業台１４をわずかに上方に移動させて片持ち梁１６を元の状態に復帰させ、さらにウインチ２２をリリース作動させて側面作業台１４を下方へ回動させて元の退避位置に復帰させる。
【００２３】
一方、車両点検棟１０の入り口１１側に設置された端面作業台２４は、図５および図６に示すように、根元側の支点部分で、支持手段である軸２６を介して架台２５に対し回動自在に支持されている。また、端面作業台２４の先端部には、高低調節用の脚２７が設置され、この脚２７の先端には木片、ゴムシート等からなるクッション２８が設置されている。さらに、架台２５には、梯子２９や安全柵１２９が設置されている。そして、作業台２４の先端部には、ワイヤー３０の一端が係止され、該ワイヤーの他端はウインチ３１に連結されている。
【００２４】
このように構成された端面作業台２４は、ウインチ３１のモータ３２を動作させ、或いはハンドル１３２を回転させることによって、軸２６を中心にして先端を降下させることができ、脚２７をタンク車ＴＶの移動台ＭＳに支持させることによって水平の動作位置に保持される。この際、タンク車ＴＶの移動台ＭＳを利用して脚２７すなわち端面作業台２４の端部を支持するので、端面作業台２４が省スペースで安定したものとなる。
【００２５】
このようにしてセットされた端面作業台２４は、タンクＴＡの端面ＴＡｃ下部に配置される。作業者は、梯子２９から端面作業台２４上に登り、該作業台２４上でタンクＴＡの鏡面板である端面ＴＡｃに対して清掃、ラベル交換等の作業を行う。作業終了後は、ウインチ３２を作動させて作業台２４の先端を上方へ回動させて元の退避位置に復帰させる。なお、端面作業台２４には、安全柵２４ｂを着脱自在に取り付けるための支持部が形成されており、端面作業台２４が動作位置に保持された際にこれに安全柵２４ｂを取り付けることにより、作業者の安全を確保することができる。
【００２６】
具体的な実施例では、固定作業台１２の高さを３４００ｍｍとし、側面作業台１４の高さを２１００ｍｍとし、端面作業台２４の高さを１７００ｍｍとした。また、側面作業台１４は、５０００ｍｍ×６００ｍｍのエクスパンションメタル部材から作製し、端面作業台２４は、３０００ｍｍ×５５０ｍｍのエクスパンションメタル部材から作製した。また、両作業台１４，２４に設けた安全柵は、高さ１１００ｍｍ程度であり、φ３０ｍｍのパイプ鋼材で作製した。また、片持ち梁１６や架台２５は、山形鋼材等から作製した。
【００２７】
以下、車両点検棟１０を用いたタンク車ＴＶの清掃、点検等の作業について説明する。まず、タンク車ＴＶの入車に先立って、作業者は、ウインチ２２、３１を動作させて側面作業台１４や端面作業台２４を退避位置とし、車両点検棟１０に入車可能な状態とする。次に、車両点検棟１０の床に設けた着色線を利用してタンク車ＴＶを車両点検棟１０内部の作業位置に移動させる（図１参照）。次に、ウインチ２２を利用して側面作業台１４を水平な動作位置に起こし、ウインチ３１を利用して端面作業台２４を水平な動作位置に降ろす。その後、両作業台１４，２４に安全柵１４ｂ，２４ｂを取り付ける。これにより、作業者は、側面作業台１４や端面作業台２４を移動しつつ、タンクＴＡの側面ＴＡｂ、端面ＴＢｃ等の清掃、点検、乾燥、ラベル貼り等の作業を行うことができる。清掃等の作業が終了した段階で、作業者は、ウインチ２２、３２を動作させて側面作業台１４や端面作業台２４を再度退避位置とし、タンク車ＴＶを車両点検棟１０から出車可能な状態とする。
【００２８】
以上実施形態に即して本発明を説明したが、本発明は上記実施形態に限定されるものではない。例えば、上記実施形態では、側面作業台１４を下方へ回動させて側壁１０ｂに添って収容させているが、側面作業台１４を上方へ回動させて側壁１０ｂ側に収容させてもよい。
【００２９】
また、側面作業台１４をヒンジ１５によって回動自在に設置しているが、かかる側面作業台を側壁１０ｂに対し側壁１０ｂに垂直な方向にスライド自在に設置し、作業台１４を水平方向へ突出させることも可能である。
【００３０】
また、上記実施形態では、端面作業台２４を架台２５に設置しているが、側壁１０ｂに直接または側壁の一部を突設して、そこに端面作業台２４を取り付けることも可能である。
【００３１】
また、端面作業台２４の脚２７の長さを微調整可能として、各種タンク車ＴＶの移動台ＭＳの高さに対応させることができる。
【００３２】
また、上記実施形態では、車両点検棟１０でＩＳＯコンテナカーを掃除等する場合について説明したが、タンクローリーその他のタンク車を清掃等する場合にも、上記実施形態の車両点検棟１０を利用することができる。
【００３３】
【発明の効果】
以上説明したように、この発明の車両点検棟設備では、車両点検棟に搬送車両を入れる際に、車両進入の邪魔にならないように、作業台を退避させておき、搬送車両が入庫した後に、作業台を作業位置に進出させる。その際、作業台は搬送車両の側面または端面に沿って配置されるので、それらの壁全体にわたって連続的に作業が行える。したがって、本発明の車両点検設備によれば、安全かつ短時間で作業が行える。
【図面の簡単な説明】
【図１】本発明に係る車両点検棟を示した正面図である。
【図２】本発明に係る車両点検棟内部を示した平面図である。
【図３】本発明に係る車両点検棟設備における側面作業台の使用状態を示した斜視図である。
【図４】本発明に係る車両点検棟設備における側面作業台の収容状態を示した斜視図である。
【図５】本発明に係る車両点検棟設備における端面作業台の使用状態を示した斜視図である。
【図６】本発明に係る車両点検棟設備における端面作業台の収容状態を示した斜視図である。
【符号の説明】
１０      車両点検棟
１０ａ      右側壁
１０ｂ      左側壁
１１      入り口
１２      固定作業台
１８,２９      梯子
１４      側面作業台
１５,１７,１９      ヒンジ
１６      片持ち梁
２０,３０      ワイヤー
２１      滑車
２２,３１      ウインチ
２４      端面作業台
２５      架台
２６      軸
２７      脚
２８      クッション
ＴＶ      タンク車
ＴＡ      タンク
ＭＳ      移動台
【図１】
0004050092.tif 000002
【図２】
0004050092.tif 000003
【図３】
0004050092.tif 000004
【図４】
0004050092.tif 000005
【図５】
0004050092.tif 000006
【図６】
0004050092.tif 000007